(57)【要約】【課題】様々な傾度による杭打ちを効率的に行うことが可能な杭打機を提供する。【解決手段】杭打機１０は、杭を打ち込む打撃部２０と、打撃部２０が昇降する支柱部３０と、支柱部３０に設けられた支柱支持部４０と、支柱支持部４０に連結され、支柱部３０を左右方向に傾斜させる回転駆動部５２を有する支柱傾斜部５０と、支柱傾斜部５０に設けられ、重機ＭのアームＡ１と、アームＡ１の先端方向に向かって伸縮するアームシリンダＡ２とに取り付けられる連結部６０とを備えている。支柱部３０を支持する支柱支持部４０が支柱傾斜部５０に連結されているため、杭打機１０を左右方向における様々な傾度とすることができる。【選択図】  図１
0003213479.tif 000002
【実用新案登録請求の範囲】
【請求項１】
杭を打ち込む打撃部と、
前記打撃部が昇降する支柱部と、
前記支柱部に設けられた支柱支持部と、
前記支柱支持部に連結され、前記支柱部を左右方向に傾斜させる駆動部を有する支柱傾斜部と、
前記支柱傾斜部に設けられ、重機のアームと、前記アームの先端方向に向かって伸縮するアームシリンダとに取り付けられる連結部とを備えた杭打機。
【請求項２】
前記支柱傾斜部は、前記支柱支持部に連結された前方に延びる軸部と、前記軸部を回転させる前記駆動部としての回転駆動部とを備えた回転シリンダにより形成された請求項１記載の杭打機。
【請求項３】
前記支柱傾斜部は、前記支柱支持部に連結された前方に延びる軸部と、前記軸部が回転中心に配置された円盤部と、前記円盤部の偏心した位置に接続されたピストンロッドを有するシリンダとを備えた請求項１記載の杭打機。
【請求項４】
前記支柱支持部は、前記支柱部をスライドさせる支柱昇降部と、前記支柱部のスライドを上下方向に案内する案内部とを備えた請求項１から３のいずれかの項に記載の杭打機。
【請求項５】
前記支柱昇降部は、一端が支柱部の下部に連結され、他端が案内部に連結されて伸縮するシリンダにより形成された請求項４記載の杭打機。
【請求項６】
前記打撃部は、杭に押圧力を付与するハンマー部と、前記ハンマー部を支柱部に沿って昇降させるハンマー駆動部とを備え、
前記ハンマー駆動部は、支柱部の上部に配置された固定滑車である上部滑車と、動滑車である第１滑車および第２滑車と、支柱部の上部に配置された固定滑車である下部滑車と、一端が打撃部に連結され、前記上部滑車に巻回されて下方に向かい、前記第１滑車に巻回されることで折り返して上方へ向かった後に、他端が支柱部に連結された第１チェーンと、一端が打撃部に連結され、前記下部滑車に巻回されて上方へ向かい、前記第２滑車に巻回されることで折り返して下方へ向かった後に、他端が支柱部に連結された第２チェーンと、前記第１滑車および前記第２滑車とを連結して連動させる連動部と、前記連動部を上下方向に移動させるシリンダとを備えた請求項１から５のいずれかの項に記載の杭打機。
【考案の詳細な説明】
【技術分野】
【０００１】
本考案は、平坦地や法面に、杭を所望とする角度で立設することができる杭打機に関するものである。
【背景技術】
【０００２】
杭打機は、重機のアーム先端に取り付けられ、リーダーと称される支柱部に沿って、杭を打ち込むための打撃部を上下させることで、杭打ち作業が行われる。このような杭打機について、特許文献１に記載されたものが知られている。
【０００３】
特許文献１に記載の防音装置付シートパイル打設装置は、パワーシャベルのアーム用ジャッキを操作してリーダーの前後傾き調整を行い、セットボルトを抜いて角度調整金物を、上部支点ピンを中心として左右方向に回動させ、所定の傾角において再びセットボルトによって角度調整金物をブーム取付金具に固定してリーダーの左右傾き調整を行い、更に段差のある場所においては、リーダを下ろしてからスプロケットとリーダーとに亘って固定ピンを挿入すると共に、リーダー固定ピンを外し、油圧モータを駆動して上下位置の調整を行うものである。
【先行技術文献】
【特許文献】
【０００４】
【特許文献１】実開昭５０−８３０１０号公報
【考案の概要】
【考案が解決しようとする課題】
【０００５】
しかし、特許文献１に記載の従来の杭打機におけるリーダーの左右傾き調整においては、セットボルトを抜いて、角度調整金物を、上部支点ピンを中心として左右方向に回動させた後、再びセットボルトによって、角度調整金物を所定の傾角にてブーム取付金具に固定している。そのため、左右傾き調整においては、傾角が変わる度に、セットボルトを抜いたり差し込んだりする必要があるので、作業が煩雑であり、余分な作業時間を要する。
【０００６】
そこで本考案は、様々な傾度による杭打ちを効率的に行うことが可能な杭打機を提供することを目的とする。
【課題を解決するための手段】
【０００７】
本考案の杭打機は、杭を打ち込む打撃部と、前記打撃部が昇降する支柱部と、前記支柱部に設けられた支柱支持部と、前記支柱支持部に連結され、前記支柱部を左右方向に傾斜させる駆動部を有する支柱傾斜部と、前記支柱傾斜部に設けられ、重機のアームと、前記アームの先端方向に向かって伸縮するアームシリンダとに取り付けられる連結部とを備えたことを特徴とする。
【０００８】
本考案の杭打機によれば、支柱傾斜部に設けられた連結部が、重機のアームと、アームシリンダとに取り付けられるため、アームシリンダを伸縮することで、前後方向の傾斜を調整することができる。また、支柱部を支持する支柱支持部が駆動部を有する支柱傾斜部に連結されているため、駆動部が支柱部を左右方向に傾斜させるので杭打機を左右方向における様々な傾度とすることができる。
【０００９】
前記支柱傾斜部を、前記支柱支持部に連結された前方に延びる軸部と、前記軸部を回転させる前記駆動部としての回転駆動部とを備えた回転シリンダにより形成することができる。回転駆動部により軸部を回転させることにより軸部に連結された支柱支持部が回転するため、回転シリンダにより形成した支柱傾斜部により支柱部を左右方向に傾斜させることができる。
【００１０】
前記支柱傾斜部は、前記支柱支持部に連結された前方に延びる軸部と、前記軸部が回転中心に配置された円盤部と、前記円盤部の偏心した位置に接続されたピストンロッドを有するシリンダとを備えたものとすることができる。
シリンダのピストンロッドを進退させることにより、ピストンロッドが偏心した位置に接続された円盤部が回転することで、軸部を回転させることができるため、支柱支持部を左右方向に傾斜させることができる。
【００１１】
前記支柱支持部は、前記支柱部をスライドさせる支柱昇降部と、前記支柱部のスライドを上下方向に案内する案内部とを備えたものとすることができる。支柱昇降部により支柱部をスライドさせると、支柱部が案内部により上下方向に案内されるため、支柱部の高さ位置を調整することができる。
【００１２】
前記支柱昇降部を、一端が支柱部の下部に連結され、他端が案内部に連結されて伸縮するシリンダにより形成することができる。シリンダにより形成された支柱昇降部が伸縮することで、支柱部の下部と案内部との間隔を拡げたり狭くしたりすることができる。従って、支柱部を案内部により上下方向に案内することができる。
【００１３】
前記打撃部は、杭に押圧力を付与するハンマー部と、前記ハンマー部を支柱部に沿って昇降させるハンマー駆動部とを備え、前記ハンマー駆動部は、支柱部の上部に配置された固定滑車である上部滑車と、動滑車である第１滑車および第２滑車と、支柱部の上部に配置された固定滑車である下部滑車と、一端が打撃部に連結され、前記上部滑車に巻回されて下方に向かい、前記第１滑車に巻回されることで折り返して上方へ向かった後に、他端が支柱部に連結された第１チェーンと、一端が打撃部に連結され、前記下部滑車に巻回されて上方へ向かい、前記第２滑車に巻回されることで折り返して下方へ向かった後に、他端が支柱部に連結された第２チェーンと、前記第１滑車および前記第２滑車とを連結して連動させる連動部と、前記連動部を上下方向に移動させるシリンダとを備えたものとすることができる。
連動部をシリンダにより上下方向に移動させることにより、第１滑車および第２滑車が連動部により一緒に移動することで、第１滑車に巻回され、上部滑車に巻回された第１チェーンと、第２滑車に巻回され、下部滑車に巻回された第２チェーンとが移動するので、第１チェーンと第２チェーンとに接続された打撃部を下降させたり、上昇させたりすることができる。
【考案の効果】
【００１４】
本考案の杭打機によれば、前後方向の傾斜および左右方向の傾斜を調整することができるため、杭打機を前後方法および左右方向における様々な傾度とすることができる。従って、本考案の杭打機は、様々な傾度による杭打ちを効率的に行うことが可能である。
【図面の簡単な説明】
【００１５】
【図１】本考案の実施の形態に係る杭打機が重機に連結された状態を示す図である。
【図２】図１に示す杭打機を重機側から見た図である。
【図３】図１に示す杭打機の打撃部の昇降および支柱部の昇降を説明するための図であり、支柱部のコ字状板材を省略した状態の図である。
【図４】図１に示す杭打機の支柱部を上昇させた状態の図である。
【考案を実施するための形態】
【００１６】
本考案の実施の形態に係る杭打機を図面に基づいて説明する。なお、図１から図４においては、油圧シリンダへの油圧ケーブルなどは図示していない。
図１および図２に示すように、本考案の実施の形態に係る杭打機１０は、例えば、平坦地や法面に、太陽光発電パネルの架台を支持する杭を打ち込むことに使用できる。
図１に示す杭打機１０は、重機ＭのアームＡ１の先端に連結されている。
【００１７】
図１に示す杭打機１０は、杭を打ち込む打撃部２０と、打撃部２０が昇降する支柱部３０と、支柱部３０に設けられた支柱支持部４０と、支柱支持部４０に連結され、支柱支持部４０を中心に左右方向に傾斜させる支柱傾斜部５０と、支柱傾斜部５０に設けられ、重機ＭのアームＡ１と、アームシリンダＡ２とに連結される連結部６０とを備えている。
【００１８】
図３に示すように、打撃部２０は、杭に押圧力を付与するハンマー部２１と、ハンマー部２１を支柱部３０に沿って昇降させるハンマー駆動部２２とを備えている。
ハンマー駆動部２２は、支柱部３０の上部に配置された固定滑車である上部滑車２２１と、動滑車である第１滑車２２２および第２滑車２２３と、支柱部３０の上部に配置された固定滑車である下部滑車２２４と、第１チェーン２２５と、第２チェーン２２６と、第１滑車２２２および第２滑車２２３とを連結して連動させる連動部２２７と、連動部２２７を上下方向に移動させるシリンダ２２８とを備えている。
【００１９】
第１チェーン２２５は、一端がハンマー部２１に連結され、上部滑車２２１に巻回されて下方に向かい、第１滑車２２２に巻回されることで折り返して上方へ向かった後に、他端が支柱部３０に連結されている。
第２チェーン２２６は、一端がハンマー部２１に連結され、下部滑車２２４に巻回されて上方へ向かい、第２滑車２２３に巻回されることで折り返して下方へ向かった後に、他端が支柱部３０に連結されている。
【００２０】
連動部２２７は、第１滑車２２２を上、第２滑車２２３を下に位置させた状態で連結する部材である。連動部２２７は、シリンダ２２８のピストンロッドの先端に連結されている。
シリンダ２２８は、ピストンロッドとは反対側となる基端部が支柱部３０に連結されている。シリンダ２２８は、重機Ｍから操作される。
【００２１】
図１に示す支柱部３０は、一対の長尺のコ字状板材３１と、このコ字状板材３１の上端および下端を繋ぐ接続部材３２とによりできた内部空間にハンマー駆動部２２を収納すると共に、打撃部２０を杭に向かって案内するものである。
【００２２】
図３に示す支柱支持部４０は、支柱部３０をスライドさせる支柱昇降部４１と、支柱部３０のスライドを上下方向に案内する案内部４２とを備えている。
支柱昇降部４１は、一端が支柱部３０の下部に連結され、他端が案内部４２に連結された油圧式のシリンダにより形成されている。シリンダとしては両端にピストンロッドを有するものを採用している。
案内部４２は、支柱部３０の一対のコ字状板材３１を両側から挟み込むようにして、支柱部３０を保持する。
【００２３】
図１に示す支柱傾斜部５０は、支柱支持部４０に連結された前方に延びる軸部５１と、軸部５１を回転させる駆動部としての回転駆動部５２とを備えた回転シリンダにより形成されている。回転駆動部５２は、油圧により軸部５１に回転駆動する。回転駆動部５２は、重機Ｍから操作される。
【００２４】
連結部６０は、縦長板状部材により形成され、下部にアームＡ１が連結され、上部にアームシリンダＡ２が連結されている。
【００２５】
以上のように構成された本考案の実施の形態に係る杭打機の動作および使用状態を図面に基づいて説明する。
まず、支柱部３０の上部に位置する打撃部２０を下降させて、杭を打ち込む動作を説明する。
【００２６】
操作者は、図１に示す重機Ｍの操作席で操作して、打撃部２０のハンマー駆動部２２を動作させる。この動作は、図１に示すシリンダ２２８のピストンロッドを後退させる。
図３に示すように、ピストンロッドが後退することで、連動部２２７が引き上げられる。連動部２２７が引き上げられると、第１滑車２２２と上部滑車２２１とが接近し、第１滑車２２２と支柱部３０に第１チェーン２２５の他端が連結された位置とが接近するため、第１チェーン２２５が打撃部２０の重量に伴って上部滑車２２１から垂下する方向へ進行する。
【００２７】
また、連動部２２７が引き上げられることで、第２滑車２２３と下部滑車２２４とが離れ、第２滑車２２３と支柱部３０に第２チェーン２２６の他端が連結された位置とが離れるため、第２チェーン２２６の一端が打撃部２０を引っ張る。
この第１チェーン２２５と第２チェーン２２６との動作により、打撃部２０が支柱部３０に沿って下降することで、杭を地面に打ち込むことができる。
【００２８】
打撃部２０の上昇は、シリンダ２２８のピストンロッドを進出させる。ピストンロッドの進出により、下降のときの反対動作が実施され、打撃部２０を上昇することができる。
【００２９】
次に、杭打機１０を前後方向に傾斜させる場合を説明する。
操作者は、図１に示す重機ＭのアームシリンダＡ２のピストンロッドを進出させる。そうすると、ピストンロッドの進出長さに応じて、アームＡ１に連結された連結部６０の下部に対して、アームシリンダＡ２が連結された連結部６０の上部が押され、前方へ移動するため、支柱傾斜部５０の軸部５１が斜め下方を向く。
従って、支柱支持部４０に保持された支柱部３０は、上部が前方へ、下部が後方へ移動することで、支柱部３０を前方に向かうに従って上り傾斜とすることができる。
【００３０】
反対に、操作者が、重機ＭのアームシリンダＡ２のピストンロッドを後退させると、ピストンロッドの後退長さに応じて、アームＡ１に連結された連結部６０の下部に対して、アームシリンダＡ２が連結された連結部６０の上部が引かれ、後方へ移動するため、支柱傾斜部５０の軸部５１が斜め上方を向く。
従って、支柱支持部４０に保持された支柱部３０は、上部が後方へ、下部が前方へ移動することで、支柱部３０を前方に向かうに従って下り傾斜とすることができる。
【００３１】
また、操作者が、アームＡ１の傾斜を上げたり、下げたりすることで、支柱部３０の前後方向の傾斜を大きくすることができる。
このように、重機ＭのアームＡ１とアームシリンダＡ２とが連結部６０に連結されていることで、杭打機１０を矢線Ｆ１に示す前後方向における様々な傾度とすることができる。
【００３２】
次に、杭打機１０を左右方向に傾斜させる場合を説明する。
操作者は、重機Ｍの操作席で操作して、支柱傾斜部５０の回転駆動部５２を動作させる。回転駆動部５２を動作により前方に延びる軸部５１が軸回転する。
回転駆動部５２により、前方に向かって軸部５１を右回転させると、支柱部３０の上部が右側へ、下部が左側へ移動することで、右側から左側へ下り傾斜となる。
また、回転駆動部５２により、前方に向かって軸部５１を左回転させると、支柱部３０の上部が左側へ、下部が右側へ移動することで、左側から右側へ下り傾斜となる。
このように、支柱部３０を支持する支柱支持部４０が支柱傾斜部５０に連結されているため、杭打機１０を図２の矢線Ｆ２に示す左右方向における様々な傾度とすることができる。
【００３３】
次に、杭打機１０の支柱部３０の昇降させる場合を説明する。
操作者は、図１に示す重機Ｍの操作席で操作して、図２に示す支柱支持部４０の支柱昇降部４１を動作させる。支柱昇降部４１であるシリンダのピストンロッドを進出させると、支柱昇降部４１の一端が連結された支柱部３０の下端と、他端が連結された案内部４２との間隔を拡げる。案内部４２は、図１に示す支柱傾斜部５０と連結部６０を介して重機Ｍに連結されているため、案内部４２の位置が維持される。従って、図４に示す支柱部３０が、案内部４２に案内されるように、矢線Ｆ３が示す方向にスライドして上昇する。
【００３４】
また、図２に示す支柱昇降部４１であるシリンダのピストンロッドを後退させると、支柱昇降部４１の一端が連結された支柱部３０の下端と、他端が連結された案内部４２との間隔が狭くなる。従って、支柱部３０が、案内部４２に案内されて下降する。
このように、支柱昇降部４１のシリンダを伸縮させることにより、支柱部３０をスライドさせることができるので、支柱部３０が案内部４２により上下方向に案内されるため、支柱部３０の高さ位置を調整することができる。
【００３５】
従って、長さが長い杭であっても、支柱部３０の高さ位置を調整することで、打撃部２０の高さ位置を調整して高い位置から打撃部２０を下降させることができるので、容易に打ち込むことができる。
【００３６】
以上のように、図１に示す杭打機１０によれば、支柱傾斜部５０に設けられた連結部６０が、重機ＭのアームＡ１と、アームシリンダＡ２とに取り付けられるため、アームシリンダＡ２を伸縮することで、杭打機１０についての前後方向の傾度を調整することができる。また、支柱部３０を支持する支柱支持部４０が支柱傾斜部５０に連結されているため、杭打機１０を左右方向における様々な傾度とすることができるので、傾斜地であっても、また傾斜地に対して重機Ｍの向きが色々な方向に向いていたとしても、杭を傾斜地に対して垂直に打ち込むことができる。
従って、杭打機１０は、様々な傾度による杭打ちを効率的に行うことが可能である。
【００３７】
なお、本実施の形態では、軸部５１と、回転駆動部５２とを備えた回転シリンダにより支柱傾斜部５０が形成されていたが、支柱傾斜部は、支柱支持部に連結された前方に延びる軸部と、軸部が回転中心に配置された円盤部と、円盤部の偏心した位置に接続されたピストンロッドを有するシリンダとを備えたものとすることができる。
支柱傾斜部をこのように構成することで、シリンダのピストンロッドを進退させれば、ピストンロッドが偏心した位置に接続された円盤部が回転するので、軸部を回転させることができる。従って、駆動部であるシリンダの直線運動を、円盤部により回転運動に変換して、軸部により支柱支持部を左右方向に傾斜させることができる。
【産業上の利用可能性】
【００３８】
本考案の杭打機は、前後方向だけでなく左右方向においても様々な傾度による杭打ちが可能なので、法面への杭打ちに好適である。
【符号の説明】
【００３９】
１０  杭打機
２０  打撃部
２１  ハンマー部
２２  ハンマー駆動部
２２１  上部滑車
２２２  第１滑車
２２３  第２滑車
２２４  下部滑車
２２５  第１チェーン
２２６  第２チェーン
２２７  連動部
２２８  シリンダ
３０  支柱部
３１  コ字状板材
３２  接続部材
４０  支柱支持部
４１  支柱昇降部
４２  案内部
５０  支柱傾斜部
５１  軸部
５２  回転駆動部
６０  連結部
Ｍ  重機
Ａ１  アーム
Ａ２  アームシリンダ
Ｆ１，Ｆ２，Ｆ３  矢線
【図１】
0003213479.tif 000003
【図２】
0003213479.tif 000004
【図３】
0003213479.tif 000005
【図４】
0003213479.tif 000006